(57)【要約】【課題】  端末装置とサーバの通信回数を最小限に抑え、必要最小限のデータを通信回線を介して取得し、印刷のための情報を取得する通信費を低減してコストダウンが図られた印刷情報処理システムおよび印刷情報処理方法を提供する。【解決手段】  端末装置９は、Ｗｅｂブラウザ１０により表示された印刷情報８からパラメタ１１を取得し、印刷情報８をサーバ１の情報テーブル６に登録するとともにパラメタ１１を印刷用アプリケーション４に渡し、印刷データを赤外線ＩＦ付プリンタ１２に送信し、印刷を実行する。【選択図】  図１
2005258938.tif 000002
【特許請求の範囲】
【請求項１】
ネットワークを介して接続されるサーバと、利用者が用いる端末装置と、その端末装置から印刷情報を受け取り印刷を実行するプリンタを含む印刷情報処理システムであって、
前記サーバは、前記利用者を一意に識別するための利用者識別情報とプリンタにより印刷される印刷情報を対応付けて記憶するデータベースと、
前記端末装置に印刷用アプリケーションをダウンロードさせるためのダウンロード用インターフェースであるダウンロード用インターフェース手段と、
前記データベースに前記利用者識別情報と前記印刷情報を対応付けて記憶する記憶手段と、
を備え、
前記端末装置は、前記サーバから前記印刷用アプリケーションのダウンロードを実行するダウンロード実行手段と、
前記利用者識別情報と前記印刷情報の入力を受け付ける受付手段と、
前記受付手段により受け付けられた前記利用者識別情報と前記印刷情報を前記サーバに送信する識別情報送信手段と、
前記受付手段により受け付けられた前記印刷情報から前記印刷用アプリケーションに渡すためのパラメタを取得するパラメタ取得手段と、
前記印刷用アプリケーションから前記パラメタ取得手段により取得された前記パラメタを含む印刷データを前記プリンタに送信する印刷データ送信手段と、
を備え、
前記プリンタは、前記端末装置から前記印刷データを受信する印刷データ受信手段と、
前記印刷データ受信手段により受信された前記印刷データを印刷する印刷手段と、
を備えることを特徴とする印刷情報処理システム。
【請求項２】
前記サーバは、前記端末装置から前記利用者識別情報を受信する識別情報受信手段と、
前記受信手段により受信される前記利用者識別情報に基づいて前記データベースを検索して対応する前記印刷情報を取得する検索手段と、
前記検索手段により取得された前記印刷情報を前記端末装置に送信する印刷情報送信手段と、
を備え、
前記端末装置は、前記利用者識別情報を前記サーバに送信する識別情報送信手段と、
前記サーバの前記印刷情報送信手段により送信された前記印刷情報を受信する印刷情報受信手段と、を備え、
前記パラメタ取得手段は、さらに前記印刷情報受信手段により受信された前記印刷情報から前記印刷用アプリケーションに渡すためのパラメタも取得することを特徴とする請求項１記載の印刷情報処理システム。
【請求項３】
前記端末装置の前記印刷データ送信手段による前記印刷データの前記プリンタの前記印刷データ受信手段への送信は、赤外線通信によることを特徴とする請求項１または２記載の印刷情報処理システム。
【請求項４】
ネットワークを介して接続されるサーバと、利用者が用いる端末装置と、その端末装置から印刷情報を受け取り印刷を実行するプリンタを利用する印刷情報処理方法であって、
前記端末装置は、前記サーバから印刷用アプリケーションのダウンロードを実行するステップと、
利用者を一意に識別するための利用者識別情報とプリンタにより印刷される印刷情報の入力を受け付けるステップと、
受け付けられた前記利用者識別情報と前記印刷情報を前記サーバに送信するステップと、
受け付けられた前記印刷情報から前記印刷用アプリケーションに渡すためのパラメタを取得するステップと、
前記印刷用アプリケーションから取得された前記パラメタを含む印刷データを前記プリンタに送信するステップと、
を有し、
前記プリンタは、前記端末装置から前記印刷データを受信するステップと、
受信された前記印刷データを印刷するステップと、
を有し、
前記サーバは、データベースに前記利用者識別情報と前記印刷情報を対応付けて記憶するステップを有することを特徴とする印刷情報処理方法。
【請求項５】
前記端末装置は、前記利用者識別情報を前記サーバに送信するステップと、
前記サーバは、前記端末装置から前記利用者識別情報を受信するステップと、
受信されるに基づいて前記データベースを検索して対応する前記印刷情報を取得するステップと、
取得された前記印刷情報を前記端末装置に送信するステップと、
を有し、
前記パラメタを取得するステップにおいて、前記端末装置は、さらに受信された前記印刷情報から前記印刷用アプリケーションに渡すためのパラメタも取得することを特徴とする請求項４記載の印刷情報処理方法。
【請求項６】
前記端末装置が前記印刷データを前記プリンタへ送信するステップにおいて、データ送信は赤外線通信によることを特徴とする請求項４または５記載の印刷情報処理方法。
【発明の詳細な説明】
【技術分野】
【０００１】
本発明は、端末装置とサーバの通信回数を最小限に抑え、印刷のための情報を取得する通信コストの低減が図られた印刷情報処理システムおよび印刷情報処理方法に関する。
【背景技術】
【０００２】
従来、端末装置からサーバのデータベースに登録した情報をプリンタで印刷するために端末装置がサーバからその情報を取り出す際における、携帯電話機等の端末装置上で入手した印刷情報の赤外線インターフェース（以下、「赤外線ＩＦ」という。）経由でのプリンタへの送信は、例えば、携帯電話機上に予め搭載されているアプリケーションを用いる方法や、また、赤外線ＩＦによる印刷情報送信アプリケーションを用いる方法があった。
【０００３】
携帯電話機上に予め搭載されているアプリケーションを用いる方法とは、一例として、メール機能に関するアプリケーションを用いる方法がある。印刷情報を含む電子メールをサーバから受信して、その印刷情報を携帯電話機のメール機能に関するアプリケーションに存在する赤外線送信機能によりプリンタに送信し、印刷を実行する。
【０００４】
また、赤外線ＩＦによる印刷情報送信アプリケーションを用いる方法として、プリンタ製造メーカが提供する方法がある。携帯電話機に保持されている印刷情報を印刷する利用者が自己の業務に沿った内容で、赤外線ＩＦ付プリンタに適合した携帯電話機用インターフェースを独自に設計ないしは開発し、携帯電話機に搭載されている印刷情報送信アプリケーションにより赤外線通信による印刷を実行する。
【０００５】
ここで、携帯電話機を利用して低コストで確実に納品書ないしは請求書を顧客に配布すべく、携帯電話機の画面から収集したゴミの種類や量に関する情報を管理センタに送信し、管理センタがその情報に基づいて顧客に渡す納品書ないしは請求書の書式にデータ変換し、そのデータはデータベースに記憶し、さらに、そのデータを携帯電話機に電子メールで送信し、携帯電話機が受け取ったそのデータを赤外線通信で赤外線プリンタに送信し、納品書ないしは請求書として印刷を実行する技術が提案されている（例えば、特許文献１参照）。
【特許文献１】特開２００３−１２５０９１号公報
【発明の開示】
【発明が解決しようとする課題】
【０００６】
しかしながら、上述した従来例においては、携帯電話機とメールサーバ間での情報の送受信が必要であり、その際のタイムラグが発生したり、電子メール機能を使用するため業務運用上の工数が余分に発生し、さらにすべての印刷時に必要な固定的な印刷内容情報もいちいち送受信する必要があるためその情報に関するデータ通信量が通信費に反映されてしまうという問題点があった。
【０００７】
また、図８に示すようにネットワーク上に存在するサーバのデータベースに格納されている登録内容情報を印刷情報としてアプリケーションが取得するたびに、携帯電話キャリアのモバイル網等のネットワークを利用するため、通信料が発生してしまい、利用者のランニングコストの負担が増大するという問題点があった。
【０００８】
本発明は、上記の問題点に鑑みてなされたものであり、端末装置とサーバの通信回数を最小限に抑え、必要最小限のデータを通信回線を介して取得し、印刷のための情報を取得する通信費を低減してコストダウンが図られた印刷情報処理システムおよび印刷情報処理方法を提供することを目的とする。
【課題を解決するための手段】
【０００９】
本発明による印刷情報処理システムは、ネットワークを介して接続されるサーバと、利用者が用いる端末装置と、その端末装置から印刷情報を受け取り印刷を実行するプリンタを含む印刷情報処理システムであって、前記サーバは、前記利用者を一意に識別するための利用者識別情報とプリンタにより印刷される印刷情報を対応付けて記憶するデータベースと、前記端末装置に印刷用アプリケーションをダウンロードさせるためのダウンロード用インターフェースであるダウンロード用インターフェース手段と、前記データベースに前記利用者識別情報と前記印刷情報を対応付けて記憶する記憶手段と、を備え、前記端末装置は、前記サーバから前記印刷用アプリケーションのダウンロードを実行するダウンロード実行手段と、前記利用者識別情報と前記印刷情報の入力を受け付ける受付手段と、前記受付手段により受け付けられた前記利用者識別情報と前記印刷情報を前記サーバに送信する識別情報送信手段と、前記受付手段により受け付けられた前記印刷情報から前記印刷用アプリケーションに渡すためのパラメタを取得するパラメタ取得手段と、前記印刷用アプリケーションから前記パラメタ取得手段により取得された前記パラメタを含む印刷データを前記プリンタに送信する印刷データ送信手段と、を備え、前記プリンタは、前記端末装置から前記印刷データを受信する印刷データ受信手段と、前記印刷データ受信手段により受信された前記印刷データを印刷する印刷手段と、を備えている。
【００１０】
また、本発明による印刷情報処理システムは、さらに前記サーバは、前記端末装置から前記利用者識別情報を受信する識別情報受信手段と、前記受信手段により受信される前記利用者識別情報に基づいて前記データベースを検索して対応する前記印刷情報を取得する検索手段と、前記検索手段により取得された前記印刷情報を前記端末装置に送信する印刷情報送信手段と、を備え、前記端末装置は、前記利用者識別情報を前記サーバに送信する識別情報送信手段と、前記サーバの前記印刷情報送信手段により送信された前記印刷情報を受信する印刷情報受信手段と、を備え、前記パラメタ取得手段は、さらに前記印刷情報受信手段により受信された前記印刷情報から前記印刷用アプリケーションに渡すためのパラメタも取得する。
【００１１】
また、本発明による印刷情報処理システムは、前記端末装置の前記印刷データ送信手段による前記印刷データの前記プリンタの前記印刷データ受信手段への送信は、赤外線通信によってもよい。
【００１２】
本発明の、印刷情報処理方法は、ネットワークを介して接続されるサーバと、利用者が用いる端末装置と、その端末装置から印刷情報を受け取り印刷を実行するプリンタを利用する印刷情報処理方法であって、前記端末装置は、前記サーバから印刷用アプリケーションのダウンロードを実行するステップと、利用者を一意に識別するための利用者識別情報とプリンタにより印刷される印刷情報の入力を受け付けるステップと、受け付けられた前記利用者識別情報と前記印刷情報を前記サーバに送信するステップと、受け付けられた前記印刷情報から前記印刷用アプリケーションに渡すためのパラメタを取得するステップと、前記印刷用アプリケーションから取得された前記パラメタを含む印刷データを前記プリンタに送信するステップと、を有し、前記プリンタは、前記端末装置から前記印刷データを受信するステップと、受信された前記印刷データを印刷するステップと、を有し、前記サーバは、データベースに前記利用者識別情報と前記印刷情報を対応付けて記憶するステップを有している。
【００１３】
また、本発明の、印刷情報処理方法は、さらに、前記端末装置は、前記利用者識別情報を前記サーバに送信するステップと、前記サーバは、前記端末装置から前記利用者識別情報を受信するステップと、受信されるに基づいて前記データベースを検索して対応する前記印刷情報を取得するステップと、取得された前記印刷情報を前記端末装置に送信するステップと、を有し、前記パラメタを取得するステップにおいて、前記端末装置は、さらに受信された前記印刷情報から前記印刷用アプリケーションに渡すためのパラメタも取得する。
【００１４】
また、本発明の、印刷情報処理方法は、前記端末装置が前記印刷データを前記プリンタへ送信するステップにおいて、データ送信は赤外線通信によってもよい。
【発明の効果】
【００１５】
本発明の印刷情報処理システムおよび印刷情報処理方法によれば、端末装置とサーバの通信回数を最小限に抑え、必要最小限のデータを通信回線を介して取得し、印刷のための情報を取得する通信費を低減してコストダウンを図ることができる。
【発明を実施するための最良の形態】
【００１６】
以下、本発明の実施の形態について、図面を参照して説明する。
【００１７】
図１に示すように、本実施形態における印刷情報処理システムは、サーバ１、端末装置９および赤外線ＩＦ付プリンタ１２から構成されており、サーバ１と端末装置９がモバイル網等のネットワークを介して接続されおり、端末装置９と赤外線ＩＦ付プリンタ１２が赤外線通信を利用したネットワークを介して接続されている。
【００１８】
サーバ１は、情報管理センタ等に設置されている情報処理装置である。例えば、ワークステーション等であってもよい。
【００１９】
端末装置９は、本システムの利用者が使用する情報処理装置であり、例えば、パーソナルコンピュータ、携帯電話機、ＰＨＳ（簡易型携帯電話）および携帯情報端末を含む。また、端末装置９の通信手段は、有線または無線のいずれであってもよく、例えば、無線ＬＡＮ通信、Bluetoothおよび赤外線通信等を含む。
【００２０】
赤外線ＩＦ付プリンタ１２は、赤外線通信を行うためのインターフェースを備えている画像形成装置である。例えば、携帯可能な小型プリンタ等であってもよい。
【００２１】
サーバ１と端末装置９と赤外線ＩＦ付プリンタ１２の構成を示す図１を参照すると、サーバ１は、ＣＧＩ（Common Gateway Interface）プログラム２と、印刷用アプリケーションダウンロード用ＨＴＭＬ３と、業務Ｗｅｂアプリケーション５と、所定のデータベース上の情報テーブル６を備えている。また、端末装置９は、Ｗｅｂブラウザ１０と、印刷用アプリケーション４を備えている。また、赤外線ＩＦ付プリンタ１２は、印刷情報受信部１３を備えている。ここで、印刷用アプリケーション４は好適には、印刷用ＪＡＶＡ（登録商標）アプリケーションである。
【００２２】
図２は、サーバ１の業務Ｗｅｂアプリケーション５と端末装置９のＷｅｂブラウザ１０の適用例の構成を示す図である。図２に示すように業務Ｗｅｂアプリケーション５は、所定のデータベース上のマスタテーブルおよび所定のデータベース上の情報テーブル６へのデータの登録あるいは更新、さらにデータの検索を実行する機能を有している。さらに、端末装置９向けのＨＴＭＬ（Hypertext Markup Language）文書を生成する機能を有していてもよい。なお、端末装置９の画面に表示されるＷｅｂページ上に印刷用アプリケーション起動リンクを表示させるために印刷用アプリケーション４の起動を誘導するための印刷用アプリケーション起動用タグが記述されてもよい。また、Ｗｅｂブラウザ１０は、登録情報を利用者が入力するための画面あるいは上記のＨＴＭＬ文書を表示する画面を提供する機能を有している。さらに、情報登録結果情報を表示する画面を提供する機能を有していてもよい。
【００２３】
図３は、ＣＧＩプログラム３の構成を示す図である。図３に示すようにＣＧＩプログラム３は、利用者ＩＤ７に基づくリクエストを行うＨＴＴＰ通信ルーチンと、所定のデータベースに接続するルーチンと、利用者ＩＤに基づいて所定のデータベース上の情報テーブル６を検索するルーチンと、印刷情報８を取得するルーチンと、その印刷情報８に基づくレスポンスを行うＨＴＴＰ通信ルーチンを有している。
【００２４】
図４は、所定のデータベース上の情報テーブル６のデータ構成を示す図である。図４に示すように利用者ＩＤデータ４０１は顧客名データ４０２と、商品名データ４０３と、個数データ４０４と、金額データ４０５と対応付けられて登録されている。これにより、１つの利用者ＩＤデータ４０１に基づいて、印刷情報８である一組の顧客名データ４０２と、商品名データ４０３と、個数データ４０４と、金額データ４０５を取り出すことが可能となる。
【００２５】
図５は、印刷用アプリケーション起動リンクのソースプログラムの記述の一例を示す図である。図５に示すように所定のデータベース上の情報テーブル６の利用者ＩＤデータ４０１と、顧客名データ４０２と、商品名データ４０３をパラメタ１１とするＸＳＬ等によるプログラムであってよい。なお、例えば、図２に示す位置に印刷用アプリケーション起動リンク機構が設けられてもよい。ここで、パラメタ１１は、Ｗｅｂブラウザ１０から入力されて情報テーブル６へ登録される情報を反映するものであり、Ｗｅｂブラウザ１０からパラメタ１１が入力される都度、ソースプログラムの記述内容がそのパラメタ１１に応じて変化する作用を有するものである。また、印刷用アプリケーション起動リンクの有無や記述方法は携帯電話キャリア毎に仕様が異なる等の事情を考慮して、パラメタ１１は、ＸＭＬ等の情報テーブル６へ登録したデータを端末装置９のＷｅｂページ上へ表示することが可能な技術であればその手法を問わない。
【００２６】
以上のように構成された本実施形態における印刷情報処理システムの動作の詳細について、図６および図７に基づいて説明する。図６は、端末装置９から印刷情報を情報テーブル６に登録する際に、その印刷情報を併せてプリンタで印刷する処理のシーケンス図である。また、図７は、端末装置９が情報テーブルを検索して取得した印刷情報を表示し、その印刷情報を併せてプリンタで印刷する処理のシーケンス図である。以下、シーケンス図の各ステップについて「Ｓ」と略記する。
【００２７】
まず、端末装置９から印刷情報を情報テーブル６に登録する際に、その印刷情報を併せてプリンタで印刷する処理について、図６を参照して説明する。
【００２８】
サーバ１は、印刷用アプリケーションダウンロード用ＨＴＭＬ３より印刷用アプリケーション４を端末装置９へダウンロードさせる（Ｓ６０１）。そして、端末装置９は、サーバ１からダウンロードした印刷用アプリケーション４保存する（Ｓ６０２）。
【００２９】
端末装置９は、顧客名、商品名あるいは個数等の情報をＷＥＢブラウザ１０より印刷情報８として入力し、画面上に入力結果を表示させる（Ｓ６０３）。例えば、サーバ１上のＨＴＭＬを参照し、Ｗｅｂブラウザ１０が表示するＨＴＭＬのテキストボックスへ端末装置９のボタンを操作することによりテキストデータを入力することであってもよい。サーバ１は、モバイル網を介して端末装置９から利用者ＩＤ７とともに印刷情報８を受信すると、情報テーブル６へ印刷情報８を利用者ＩＤ７と結びつけて登録する（Ｓ６０４）。なお、モバイル網を介する通信は、パケット通信による。
【００３０】
端末装置９は、Ｗｅｂ画面上に表示される印刷用アプリケーション起動リンクにより印刷用アプリケーション４を起動する。その際に、印刷用アプリケーション４は印刷用アプリケーション起動リンクに埋め込まれたパラメタ１１より印刷情報８を取得する（Ｓ６０５）。これにより、すべての印刷時に必要な固定的な印刷内容情報をいちいち送受信する必要がなくなる。
【００３１】
その後、端末装置９は、印刷用アプリケーション４上に設置される印刷情報送信ボタンを押下し、赤外線通信により赤外線ＩＦ付プリンタ１２に印刷情報８を送信する（Ｓ６０６）。
【００３２】
そして、赤外線ＩＦ付プリンタ１２は、印刷情報受信部１３の赤外線受信口より印刷情報８を受信する（Ｓ６０７）。赤外線ＩＦ付プリンタ１２は、受信した印刷情報８を所定の印刷機構により印刷する（Ｓ６０８）。これにより、利用者が端末装置９に入力した印刷情報８の情報テーブル６への登録と、赤外線ＩＦ付プリンタ１２による印刷が通信費を低減して実行することができる。
【００３３】
次に、端末装置９が情報テーブル６を検索して取得した印刷情報を表示し、その印刷情報を併せてプリンタで印刷する処理について、図７を参照して説明する。
【００３４】
サーバ１は、印刷用アプリケーションダウンロード用ＨＴＭＬ３より印刷用アプリケーション４を端末装置９へダウンロードさせる（Ｓ７０１）。そして、端末装置９は、サーバ１からダウンロードした印刷用アプリケーション４保存する（Ｓ７０２）。
【００３５】
端末装置９は、利用者により入力された利用者ＩＤ７ないしはパスワードをモバイル網を介してサーバ１に送信し、業務Ｗｅｂアプリケーション５に接続する（Ｓ７０３）。ここで、入力される利用者ＩＤ７ないしはパスワードは、例えば、他のシステム利用者が登録した情報を取得する場合には、その他の利用者の利用者ＩＤであってもよく、また過去に自己が登録した情報を取得する場合には、その利用者の利用者ＩＤであってもよい。サーバ１は、モバイル網を介して端末装置９から利用者ＩＤ７ないしはパスワードを受信すると、業務Ｗｅｂアプリケーション５を起動する（Ｓ７０４）。
【００３６】
サーバ１は、ＣＧＩプログラム２により端末装置９から受信した利用者ＩＤ７を情報テーブル６の情報検索のキーとして該当する利用者ＩＤ７に対応付けられている印刷情報８を情報テーブル６から抽出し取得する（Ｓ７０５）。サーバ１は、ＣＧＩプログラム２により、取得した印刷情報８をモバイル網を介して端末装置９に送信する（Ｓ７０６）。
【００３７】
端末装置９は、サーバ１のＣＧＩプログラム２によりモバイル網を介して印刷情報８を印刷用アプリケーション４により受信する（Ｓ７０７）。
【００３８】
端末装置９は、Ｗｅｂ画面上に表示される印刷用アプリケーション起動リンクにより印刷用アプリケーション４を起動する。その際に、印刷用アプリケーション４は印刷用アプリケーション起動リンクに埋め込まれたパラメタ１１より印刷情報８を取得する（Ｓ７０８）。これにより、すべての印刷時に必要な固定的な印刷内容情報をいちいち送受信する必要がなくなる。
【００３９】
その後、端末装置９は、印刷用アプリケーション４上に設置される印刷情報送信ボタンを押下し、赤外線通信により赤外線ＩＦ付プリンタ１２に印刷情報８を送信する（Ｓ７０９）。
【００４０】
そして、赤外線ＩＦ付プリンタ１２は、印刷情報受信部１３の赤外線受信口より印刷情報８を受信する（Ｓ７１０）。赤外線ＩＦ付プリンタ１２は、受信した印刷情報８を所定の印刷機構により印刷する（Ｓ７１１）。これにより、利用者がサーバ１の情報テーブル６へ登録されている印刷情報８を取得し、端末装置９で参照して、その印刷情報８を赤外線ＩＦ付プリンタ１２により印刷する処理が通信費を低減して行うことができる。
【００４１】
なお、上述する実施の形態は、本発明の好適な実施の形態であり、本発明の要旨を逸脱しない範囲内において種々変更実施が可能である。例えば、印刷情報送信ボタンを押下げすることなく自動的に印刷情報８を赤外線ＩＦ付プリンタ１２に送信することであってもよい。また、上記実施形態における図６または図７に示す処理動作の全部または一部を情報処理装置により実行させるためのプログラムも本発明に属する。
【図面の簡単な説明】
【００４２】
【図１】本発明の実施形態におけるシステムの構成を示す図である。
【図２】本発明の実施形態における業務Ｗｅｂアプリケーションの機能を示す図である。
【図３】本発明の実施形態におけるＣＧＩプログラムの構成を示す図である。
【図４】本発明の実施形態における情報テーブルのデータ構成を示す図である。
【図５】本発明の実施形態における印刷用アプリケーション起動リンクのソースプログラムの一例を示す図である。
【図６】本発明の実施形態における印刷情報を登録し印刷する処理の動作を示すシーケンス図である。
【図７】本発明の実施形態における印刷情報を参照し印刷する処理の動作を示すシーケンス図である。
【図８】従来例における印刷情報を登録し印刷する処理を示す図である。
【符号の説明】
【００４３】
１    サーバ
２    ＣＧＩプログラム
３    印刷用アプリケーションダウンロード用ＨＴＭＬ
４    印刷用アプリケーション
５    業務Ｗｅｂアプリケーション
６    情報テーブル
７    利用者ＩＤ
８    印刷情報
９    端末装置
１０    Ｗｅｂブラウザ
１１    パラメタ
１２    赤外線ＩＦ付プリンタ
１３    印刷情報受信部
【図１】
2005258938.tif 000003
【図２】
2005258938.tif 000004
【図３】
2005258938.tif 000005
【図４】
2005258938.tif 000006
【図５】
2005258938.tif 000007
【図６】
2005258938.tif 000008
【図７】
2005258938.tif 000009
【図８】
2005258938.tif 000010